(57)【要約】【課題】連結金具本体と連結用ピンの係脱が簡単で、かつ小型から大型まで容易に製造可能な装身具用連結金具を提供する。【解決手段】装身具用連結金具２０は、中空を有するように形成されている連結金具本体２と、連結金具本体２の一端に設けられた開口部より挿入される連結用ピン５ａは、連結金具本体２の開口部の周囲に形成された係止溝９に嵌合するよう弾性部材７により外部に突出されるように形成された係止付押ボタン４ａを有することを特徴とする。【選択図】図４
2009095637.tif 000002
【特許請求の範囲】
【請求項１】
中空を有するように形成されている連結金具本体と、連結金具本体の一端に設けられた開口部より挿入される連結用ピンは、連結金具本体の開口部の周囲に形成された係止溝に嵌合するよう弾性部材により外部に突出されるように形成された係止付押ボタンを有することを特徴とする装身具用連結金具。
【請求項２】
前記連結用ピンに形成された係止付押ボタンの一端に装身具連結用の丸カンを一体で形成したことを特徴とする請求項１に記載の装身具用連結金具。
【請求項３】
前記係止付押ボタンと前記弾性部材を分離させたことを特徴とする請求項１に記載の装身具用連結金具。
【請求項４】
前記連結用ピンに形成された係止付押ボタンを対向するように２つ設けたことを特徴とする請求項１に記載の装身具用連結金具。
【請求項５】
請求項１から４のいずれかに記載の装身具用連結金具を留め具として用いていることを特徴とする装身具。
【発明の詳細な説明】
【技術分野】
【０００１】この発明は、ネックレス、ブレスレット、アンクレット等の環状装身具における連結金具に関するものである。
【背景技術】
【０００２】ネックレス、ブレスレット、アンクレット等の環状装身具、例えばネックレスは、いわゆるクラスプ、又は引き輪、フックと称する連結金具によって環状に連結され、使用されるものである。【０００３】このような引き輪、フックの側として、実開昭４９−１２０５９０号公報（特許文献１参照）等のコイルバネを利用した引輪、特開２００２−２１９０１１号公報（特許文献２参照）等の板バネを利用したフックが知られている。【０００４】さらに、他の例として、特開平９−１８２６０９号公報（特許文献３参照）や実開平７−３０７３０号公報（特許文献４参照）に示すように、連結金具本体と連結用ピンからなるネックレス等環状装身具の連結金具において、環状装身具の一端が接続される上記連結用ピンは丸棒形状の周面に係止溝が形成され、環状装身具の他端が接続される上記連結金具本体は上記連結用ピンの挿脱が可能な筒状の受け入れ部材と、上記連結用ピンの係止溝に係脱可能な係止枠を備え、かつ連結金具本体の外部に押ボタン部を設けた係止部材と、この係止部材の係止枠を常時係止溝に係止する方向に付勢するコイルバネとからなる環状装身具の連結金具が提案されている。【０００５】この発明は上記特許文献１、２等に示した環状装身具の連結金具の改良に関するとのである。
【特許文献１】実開昭４９−１２０５９０号公報
【特許文献２】特開２００２−２１９０１１号公報
【特許文献３】特開平９−１８２６０９号公報
【特許文献４】実開平７−３０７３０号公報
【発明の開示】
【発明が解決しようとする課題】
【０００６】ところで、上記特許文献１、２等に示した連結金具には、次のような欠点があった。
すなわち、細い鎖等のネックレスの場合、鎖の太さより連結金具本体が大きくなりやすく装身具のパーツとして好ましくない。【０００７】上記に加えて、板状の接続部材の端に設けた穴に他方の係止部材を挿入することが大変困難で手間がかかるという問題があった。【０００８】この発明は、上記問題点に鑑みてなされたもので連結金具本体に連結用ピンを押入れることで確実な係止状態が維持され、かつ３６０°どの方向でも簡単に挿脱ができる。
【課題を解決するための手段】
【０００９】この発明の装身具用連結金具は上記課題を解決するため、連結金具本体と連結用ピンからなるネックレス等の環状装身具において、環状装身具の一端が接続される上記連結用ピンは係止つきの押しボタンをピン本体の開口部に挿入し、かつ弾性部材により開口部より外部に突出させるように形成され、環状装身具の他端が接続される上記連結金具本体は、上記連結用ピンの係止部がはまり込み可能な係止溝を円周方向に３６０°備えている。
上記連結用ピンを連結金具本体にはめ込む際には、弾性部材により連結用ピンの開口部より突出した係止部の幅を縮小させてはめ込み、はめ込んだ後には元に復帰して連結金具本体内に係合することにより、常時連結することを特徴とするものである。【００１０】この発明による装身具連結金具は連結用ピンを連結金具本体に連結する際には、連結用ピンの外部に突出した係止部の外周面を連結金具本体の挿入穴の外周で弾性体の弾性力に抗して押圧しながら通過し、係止部が弾性力で付勢し、連結金具本体の係止溝に係止される。また、環状装身具を外す際には、連結用ピン外部のボタンを押しながら連結用ピンを連結金具本体からはなす方向に作用させることで、連結用ピンに附属した係止部と連結金具本体の係止溝が外れて引き抜け、連結が解かれる。【００１１】この発明による装身具連結金具の連結用ピンに内蔵された弾性体には、細くかつ薄い板バネを使用することにより、よりコンパクトに、かつ、連結用ピン本体を薄くできる。
又、薄くすることにより、この装身具用連結金具を使用した環状装身具にペンダント等を装着する際にも、ペンダント等の吊り下げ機構に簡単に挿入できる。
【発明の効果】
【００１２】この発明は以上のように構成したので、次のような効果を有する。
（１）従来の一体型の板バネ方式に対し、係止つき押しボタンと、それを作用させる弾性部材を分けることにより、細く、薄く、かつ弾性係数の高い弾性材を使用できる。
（２）連結金具全体をよりコンパクトにすることができ、又、連結用ピンを薄くすることができる。これにより、ペンダント等、吊り下げ形の装身具も容易に装着することができる。
（３）連結用ピンは、先端から連結金具本体の開口部より挿入され、その内部に収納されることから連結金具本体から突出して衣類にひっかけたり肌を傷つける心配がない。
【発明を実施するための最良の形態】
【００１３】以下、この発明の各実施の形態を図面に基いて説明する。なお、以下に開示する本発明の実施の形態は、装身具用連結金具に関するものであり、その装身具用連結金具を使用した装身具については、図１以外図示していないか、ネックレス等の装身具に各実施の形態で説明する装身具用連結金具を採用することができる。【００１４】図１から図３は、第１の実施の形態に係る図であり、図１は連結金具本体と、それに組込まれた連結用ピンを側面から見た概略透視図。図２は連結金具本体と、それに組込まれた連結用ピンを上部から見た概略透視図。図３は連結金具本体に連結用ピンを挿入している途中の説明図。図４から図７は、第２の実施の形態に係る図であり、図４は連結金具本体と、それに組込まれた連結用ピンを側面より見た概略透視図。図５は連結金具本体と、それに組込まれた中空平板状の連結用ピンを上部より見た概略透視図。図６は連結金具本体と、それに組込まれた中空丸棒状の連結用ピンを上部より見た概略透視図。図７は連結金具本体に連結用ピンを挿入している途中の説明図。図８と図９は第３の実施の形態に係る図であり、図８は係止付押ボタンを両端に対向して２つ形成した連結用ピンが連結金具本体に組込まれた概略透視図。図９は、図８を側面より見た概略透視図。【００１５】図１から図３に示す第１実施例において、装身具用連結金具１は、連結金具本体２と連結用ピン５からなり、連結金具本体２と、連結用ピン５の圧入防止部１２にそれぞれ形成された丸カン１０と、丸カン８にチェーンや多数の珠玉を綴り通した連珠糸の両端が連結してある。【００１６】前記、連結用ピン５は中空平板状をなし、その一部に設けた開口部より外部に突出した係止付押ボタン４をカシメ６てある。さらに係止付押ボタン４を外部に突出させるために弾性部材７を内蔵している。又、さらに圧入防止部１２が形成してある。【００１７】他方、連結金具本体２は円筒状であり、連結用ピン５に形成された係止付押ボタン４の係止部３に係脱可能な係止溝９を開口部の周囲に３６０°形成してある。さらに連結用ピン５を挿入するためのガイド部１１が形成してある。【００１８】以上のように構成した第１実施例の装身具用連結金具１の取り扱いを説明する。ネックレス類を首につける時は、連結金具本体２と連結用ピン５を接近させ、連結用ピン５を連結金具本体２のガイド部１１から連結金具本体２の中空部分に挿入する。【００１９】図３に示す第１実施例において、連結用ピン５を連結金具本体２に挿入していくと、連結金具本体２のガイド部１１によって押し下げられた係止付押ボタン４はガイド部１１を通過と共に連結用ピン５に内蔵された弾性部材７によって押し上げられ連結金具本体２に形成された係止溝９に嵌合する。【００２０】又、図１から図３に示す第１実施例において、ネックレス類を首から外す時には連結金具本体２を保持しつつ連結用ピン５の外側に出ている係止付押ボタン４と、連結用ピン５の圧入防止部１２に形成してある丸カン８をつまみ下げると連結金具本体２の係止溝と、連結用ピン５に形成してある係止部３の嵌合が外れるのでそのまま連結用ピン５を引き抜く方向に引張ると抜くことができる。【００２１】図４から図７に示す第２実施例���おいて、装身具用連結金具２０は連結金具本体２と連結用ピン５ａ、５ｂからなり、連結金具本体２と連結用ピン５ａ、５ｂに形成された係止付押ボタン４ａの一端にそれぞれ形成された丸カン１０と、丸カン１３にチェーンや多数の珠玉を綴り通した連珠糸の両端部が連結してある。【００２２】前記、連結用ピン５ａは中空平板状、連結用ピン５ｂは中空丸棒状をなしそれぞれその一部に設けた開口部より外部に突出させた係止付押ボタン４ａをカシメ６ａ、６ｂてある。さらに係止押付ボタン４ａを後記の連結金具本体２の係止溝９に嵌合させるための弾性部材７を内蔵してある。又さらに圧入防止部１２ａ、１２ｂがそれぞれ形成されている。【００２３】他方、連結金具本体２は円筒状であり、連結用ピン５ａ、５ｂに形成された係止付押ボタン４ａの係止部３に係脱可能な係止溝９を開口部の周囲に３６０°形成してある。さらに連結用ピン５ａ、５ｂを挿入するためのガイド部１１が形成してある。【００２４】以上、のように構成した第２実施例の装身具用連結金具２０の取り扱いを説明する。ネックレス類を首につける時には、連結金具本体２と連結用ピン５ａ、５ｂを接近させ、連結用ピン５ａ、５ｂを連結金具本体２のガイド部１１から連結金具本体２の中空部分に挿入する。【００２５】図７に示す第２実施例において、連結用ピン５ａ、５ｂを連結金具本体２に挿入していくと、連結金具本体２のガイド部１１によって押し下げられた係止付押ボタン４ａは、ガイド部１１通過とともに連結用ピン５ａ、５ｂに内蔵された弾性部材７によって押し上げられ連結金具本体２に形成された係止溝９に嵌合する。【００２６】また、図４から図７に示す第２実施例において、ネックレス類を首から外す時には、連結金具本体２を保持しつつ連結用ピン５ａ、５ｂの外側に出ている係止付押ボタン４ａの一端に形成された丸カン１３を前記の嵌合が外れる方向に可動させながら連結用ピン５ａ、５ｂを抜く方向に引張ると外すことができる。【００２７】図８、図９に示す第３実施例において、装身具用連結金具３０は、連結金具本体２ａと連結用ピン５ｃからなり、チェーンや多数の珠玉を綴り通した連珠等の装身具に連結金具として使用する時には、１個から複数個の丸カンを連結金具本体２ａと、連結用ピン５ｃの一端に形成して使用する。又、チェーン等の装身具を連結金具本体２ａと、連結用ピン５ｃの一端にそれぞれ直接ロー付け等で溶着することができる。【００２８】前記、連結用ピンは、中空平板状をなし側面に設けた開口部より外部に突出させた係止付押ボタン４ｂを対向するように２つカシメ６ｃてある。さらに、係止付押ボタン４ｂの、係止部３を後記の連結金具本体２ａの係止溝９ａに嵌合させるための弾性部材７ａを内蔵している。又、さらに圧入防止部１２ｃが形成されている。【００２９】他方、連結金具本体２ａは中空平板状をなし、その一端に連結用ピン５ｃに形成された係止付押ボタン４ｂの係止部３に係脱可能な係止溝９ａを２つ形成してある。さらに、連結用ピン５ｃを挿入するためのガイド部１１ａを形成してある。【００３０】以上のように構成した第３実施例の装身具用連結金具３０の取り扱いを説明する。ネックレス類を首につける時には、連結金具本体２��と連結用ピン５ｃを接近させ、連結用ピン５ｃを連結金具本体２ａのガイド部１１ａから連結金具本体２ａの中空部分に挿入する。【００３１】図示されていないが第３実施例において連結用ピン５ｃを連結金具本体２ａに挿入していくと連結金具本体２ａのガイド部１１ａによって押し下げられた係止付押ボタン４ｂは、ガイド部１１ａ通過とともに連結用ピン５ｃに内蔵された弾性部材７ａによって押し上げられ連結金具本体２ａに形成された係止溝９ａに嵌合する。【００３２】また、ネックレス類を首から外す時には連結金具本体２ａを保持しつつ、連結用ピン５ｃに形成された係止付押ボタン４ｂを互いに近づけるような方向につまみそのまま引き抜く方向に引張ると外すことができる。
【図面の簡単な説明】
【００３３】
【図１】  本発明の第１の実施の形態に係る装身具用連結金具を連結用ピンの側面から見た概略透視図である。
【図２】  本発明の第１の実施の形態に係る装身具用連結金具を連結用ピンの係止部方向から見た概略透視図である。
【図３】  本発明の第１の実施の形態に係る装身具用連結金具の連結金具本体に連結用ピンを挿入している途中の説明図である。
【図４】  本発明の第２の実施の形態に係る装身具用連結金具を連結用ピンの側面から見た概略透視図である。
【図５】  本発明の第２の実施の形態に係る装身具用連結金具を連結用ピンの係止部方向から見た概略透視図である。
【図６】  本発明の第２の実施の形態に係る装身具用連結金具を中空丸棒状連結用ピンの係止部方向から見た概略透視図である。
【図７】  本発明の第２の実施の形態に係る装身具用連結金具の連結金具本体に連結用ピンを挿入している途中の説明図である。
【図８】  本発明の第３の実施の形態に係る装身具用連結金具を連結用ピンの係止付押ボタンの側面より見た概略透視図である。
【図９】  本発明の第３の実施の形態に係る装身具用連結金具を連結用ピンの係止部方向から見た概略透視図である。
【符号の説明】
【００３４】１、２０、３０    装身具用連結金具
２、２ａ          連結金具本体
３、              係止部
４、４ａ、４ｂ    係止付押ボタン
５、５ａ、５ｂ、５ｃ  連結用ピン
６、６ａ、６ｂ、６ｃ  カシメ部
７、７ａ          弾性部材
８、              丸カン
９、９ａ          係止溝
１０              丸カン
１１、１１ａ      ガイド部
１２、１２ａ、１２ｂ、１２ｃ  圧入防止部
１３、            丸カン
１４、            連珠等の装身具
【図１】
2009095637.tif 000003
【図２】
2009095637.tif 000004
【図３】
2009095637.tif 000005
【図４】
2009095637.tif 000006
【図５】
2009095637.tif 000007
【図６】
2009095637.tif 000008
【図７】
2009095637.tif 000009
【図８】
2009095637.tif 000010
【図９】
2009095637.tif 000011